(57)【特許請求の範囲】
【請求項１】
バッテリを収納するバッテリケースの上側開口部分を開閉するためのバッテリカバーを開いたときに転倒して閉じるのを防ぐロックであって、先端側の先端係止部と後端側の後端垂下部とを有し、車体側の部材に回動可能に設けられると共に、前記後端垂下部の重量を前記先端係止部より大きくし、前記カバーが閉じているときは先端係止部が該カバーの裏面に押さえられて水平方向に静止し、前記カバーが開いているときはその重量差によって前記先端係止部が前記カバーの裏面に接触しつつ上方に立ち上がり前記後端垂下部が下方に垂れるようにすることにより、前記カバーが開いたとき自動的にロックして倒れないよう支持することを特徴とするバッテリカバーのロック。
【請求項２】
前記ロックの支持軸を前記ヒンジ回動軸と交叉するように設けた請求項１記載のバッテリカバーのロック。
【請求項３】
前記ロックの回動を規制するストッパを備えた請求項１又は２に記載のバッテリカバーのロック。
【発明の詳細な説明】
【０００１】
【発明の属する技術分野】
本発明は、バッテリカバーのロックに関し、より詳細には、バッテリを搭載したフォークリフトにおけるバッテリケ−スを開閉するバッテリカバーが不必要に閉じるのを規制するロックに関する。
【０００２】
【従来の技術】
一般に、バッテリをケ−スに収納して搭載したバッテリ式フォークリフトにおいては、車体の後端部に鋳物等でできたウェイトが取り付けられ、このウェイトに近接した前方位置にはバッテリケースが設けられ、このバッテリケースの上に平板状のバッテリカバーが開閉自在に取り付けられる。さらに、バッテリカバーの上に運転席シートが設けられる。このバッテリカバーは、ウェイトの上部に取り付けられたヘッドガードの左右の両脚部にバッテリカバーのアーム状の末端部が支軸を介して開閉自在に取り付けられた構造となっている。そして、バッテリカバーの末端部はウェイトの上部前方端の上側に重複している。
【０００３】
バッテリの保守、点検、交換などの際には、バッテリカバーの前方端に取り付けられた図示しないフック金具を緩めてバッテリカバーをウェイト側に向けて上に開き、つっかえ棒又はエアスプリングで支えて開いた状態を維持できるようにしている。
【０００４】
【発明が解決しようとする課題】
ところで、バッテリ式フォークリフトのバッテリカバ−においては、バッテリの保守、点検、交換などの際には、バッテリカバーを開くことになるが、バッテリカバーの上に運転席シートが設けられている都合上、それだけ重量が重くなっている。しかし、上述のつっかえ棒のものでは、その寸法が大きくなり、大きな収納スペ−スを取らねばならず、フォークリフトの小型化を図る上で阻害要因となる。また、エアスプリング方式のものは、高価であると共に、これも大きくなった。
【０００５】
本発明は、上記の問題点を解決するためになされたもので、バッテリカバーを開いた場合、自動的にロックしてバッテリカバ−が倒れないように支えることができる、構造が簡単なバッテリカバーのロックを提供することを目的とする。
【０００６】
【課題を解決するための手段】
本発明は、上記の目的を達成するため、請求項１のバッテリカバーのロックは、バッテリを収納するバッテリケースの上側開口部分を開閉するためのバッテリカバーを開いたときに転倒して閉じるのを防ぐロックであって、先端側の先端係止部と後端側の後端垂下部とを有し、車体側の部材に回動可能に設けられると共に、前記後端垂下部の重量を前記先端係止部より大きくし、前記カバーが閉じているときは先端係止部が該カバーの裏面に押さえられて水平方向に静止し、前記カバーが開いているときはその重量差によって前記先端係止部が前記カバーの裏面に接触しつつ上方に立ち上がり前記後端垂下部が下方に垂れるようにすることにより、前記カバーが開いたとき自動的にロックして倒れないよう支持することを特徴とする。
【０００７】
これにより、バッテリカバ−を開けると、ロックの後端の重みにより後端垂下部は下がり、先端係止部はバッテリカバ−の裏面を摺りながら立ち上がり、バッテリカバ−が回動しようとするのを阻止する。このロックは単に重力により回動してカバーの閉じようとするのを阻止するのみであるから、簡単な，小型な構成で、安全性を高めることができる。
【０００８】
また、本発明の請求項２のロックは、請求項１のバッテリカバーのロックにおいて、前記ロックの支持軸を前記ヒンジ回動軸と交叉するように設けて構成した。これにより、回転しながら立ち上がる先端係止部にかかる力はバッテリカバ−の回転方向とは異なることになり、支えが確実になり、バッテリカバーを係止したロックが逆回りして支えが効かなくなるのを防ぐことができる。本発明の請求項３のロックは、請求項１又は２のバッテリカバーのロックにおいて、前記ロックの回動を規制するストッパを備えて構成した。これにより、バッテリカバーを係止したロックが回りすぎて支えが効かなくなるのを防ぐことができる。
【０００９】
【発明の実施の形態】
以下、添付図面を参照しながら、本発明を具体化した実施の形態について説明する。ここに、図１ないし図４は本発明に係るバッテリカバ−のロックの１実施例を説明する図で、図１はそのバッテリカバ−を開いた状態のカバーの裏面図、図２は図１のＡ−Ａ線に沿う一部省略した断面図で、図３は図１のＢ−Ｂ線に沿う一部省略した断面図、図４はカウンタバラスン型フォークリフトの全体構成を示す側面図である。
【００１０】
フォークリフトのバッテリカバー１の開閉を阻止するロック２は、先端係止部３と後端垂下部４とから構成され、車体側の部材の、支持板５又はこれに取り付けられた取付部材に支持軸６により回動可能に軸支されている。バッテリカバー１は、図示しない、バッテリケ−スの上部を開閉する部材で、略平板状のもので、その前方側の端部には、このバッテリカバー１をバッテリケースに掛止するためのフック金具が取り付けられている。このバッテリケースは、フォークリフトの車体の後端部に取り付けられたウェイト７に近接した前方位置に設けられ、ウェイト７には、ヘッドガ−ド８が取り付けられている。
【００１１】
ロック２の先端係止部３は、軽量化と、先端係止部３との重心を遠くするため、及びバッテリカバ−と当接する部分を大きくする等のために細長く形成されている。一方、後端垂下部４は先端係止部３との重量差を大きくし、支持軸６を重心から先端係止部３側の離れた位置に設けて、後端垂下部４は迅速に垂れ下がり、先端係止部３が確実に立ち上がるように形成している。そして、支持軸６は支持板５にナットにより固定され、ロック２をその重心から先端係止部３側に設けられた貫通孔を挿通して軸支するようにしている。このようにロック２を構成することにより、先端係止部３が上方に立ち、後端垂下部４が下方に垂れる。
【００１２】
さらに、ロック２は、先端係止部３が回りすぎて、バッテリカバ−１が転倒してバッテリケ−スを閉じてしまうことがないように、過回動を防ぐように行き過ぎ防止金具９を有している。本実施例では行き過ぎ防止金具９は、一端にネジ山が設けられた丸棒から形成され、ネジに螺着したナット１０，１０間に車体のＵ字形状の部材を挟みつけることにより取り付けられている。
【００１３】
上記のように構成してなるロック２は、通常状態で、バッテリカバ−１を降ろして閉じているときは、先端係止部３がその裏面に押さえられて、水平方向で静止している。バッテリの点検、保守などを行う際に、バッテリカバ−１を開けると、ロック２の先端係止部３がバッテリ１の裏面に接触しつつ立ち上がる。さらに開いてバッテリカバ−１を垂直に開いた状態では、ロック２の先端係止部３が行き過ぎ防止金具９に係止され、バッテリカバ−１が閉じる方向に回動するのを防ぐ。
【００１４】
バッテリカバー１の後端部には、ヒンジ１１の一方の取付金具１１ａを取付板１２を介して取付け、このヒンジ１１の回動軸１１ｃを軸にして回動開閉可能に設けている。ヒンジ１１の他方の取付金具１１ｂは、車体の幅方向にわたって配置されている車体側の部材、支持板５にボルト１３で固定されている。
【００１５】
バッテリカバ−１の後端部１５（図３の下方部）はヒンジ１１の回動軸１１ｃより下方に延びて、ヒンジ１１の他方の取付金具１１ｂの部分に達し、ヒンジ回動軸１１ｃよりも突出した突出部を形成している。この他方の取付金具１１ｂが突出部（後端部１５）に対応する一部分である係止部を構成し、後端部１５の回動を規制している。
【００１６】
上記のように構成してなるバッテリカバー１のロック２において、バッテリの保守、点検、交換などの際には、バッテリカバー１の前方端に取り付けられたフック金具を緩めてバッテリカバー１を上方に押し上げると、バッテリカバー１はヒンジ１１の回動軸１１ｃを中心にしてウェイト７側に向けて回転し、バッテリケースの上側開口部分が開かれる。そして、バッテリカバー１を最後まで押し上げると、その後端部１５がヒンジ１１の他方の取付金具１１ｂに当接してその動きが規制され、これによって、バッテリカバー１がウェイト７側の後方に転倒するのが防止される。
【００１７】
一方、バッテリカバ−１のロック２は、その上方への押し上げにより、その先端係止部３がバッテリカバ−１の裏面に接触して立ち上がる。さらに開いてバッテリカバ−１を最後まで押し上げて垂直に開いた状態では、ロック２の先端係止部３が行き過ぎ防止金具９に係止され、バッテリカバ−１が閉じる方向に回動するのが防止される。
【００１８】
【発明の効果】
本発明におけるバッテリカバーのロックにおいては、バッテリカバ−を開いた際、それが逆に回動しようとするのを重力により回動して、阻止するすることができる。単に重力により回動して阻止するのみであるから、簡単な，小型な構成で、安全性を高めることができる。
【００１９】
請求項２の発明によれば、上記請求項１の効果に加えて、開いたバッテリカバ−を倒れ難くロックすることができる。請求項３の発明によれば、上記効果に加えて、ロックの戻りの回動を規制するストッパを備えたので、より確実に戻りの回動を規制することができる。
【図面の簡単な説明】
【図１】  本発明の実施形態におけるフォークリフトのバッテリカバ−の開いた状態の裏面図である。
【図２】  図１のＡ−Ａ線に沿う一部省略した断面図である。
【図３】  図１のＢ−Ｂ線に沿う一部省略した断面図である。
【図４】  カウンタバラスン型フォークリフトの全体構成を示す側面図である。
【符号の説明】
１：バッテリカバ−    ２：カバー回動阻止金具    ３：先端係止部
４：後端垂下部        ５：支持板                ６：支持軸
７：ウェイト          ８：ヘッドガ−ド          ９：行き過ぎ防止金具
１１：ヒンジ          １１ａ：一方の取付金具    １１ｂ：他方の取付金具
１１ｃ：回動軸        １２：取付板                １３：ボルト
【図１】
0003690647.tif 000002
【図２】
0003690647.tif 000003
【図３】
0003690647.tif 000004
【図４】
0003690647.tif 000005